【手続補正書】
【提出日】平成20年5月30日(2008.5.30)
【手続補正１】
【補正対象書類名】明細書
【補正対象項目名】特許請求の範囲
【補正方法】変更
【補正の内容】
【特許請求の範囲】
【請求項１】  以前放送されたデータを録画に組み込むためのテレビシステムにおける方法であって、
１つのプログラムを含む放送を受信するステップと、
前記受信したプログラムの第１の部分を自動的に記憶するステップと、
前記第１の部分の記憶するステップに引き続き前記プログラムの録画要求を受信するステップと、
前記プログラムを記憶する十分なスペースがあるかどうかを判断するステップと、
前記要求の受信するステップに応答して、前記プログラムの第２部分を記憶し、前記プログラムを記憶するのに十分なスペースがあることをを判断するステップと、
から構成され、前記十分なスペースがあるかどうかを判断するステップは、少なくとも前記プログラムの時間を示す前記放送内に含まれる部分的なデータに基づいて行われることを特徴とする方法。
【請求項２】  前記プログラムを特定するデータ構造を記憶するステップをさらに有することを特徴とする請求項１に記載の方法。
【請求項３】  前記第１の部分と前記第２の部分は非連続的な位置に記憶され、前記データ構造は非連続的な前記第１の部分と前記第２の部分の各々の位置を特定し、単一の連続したストリームとして非連続的に記憶された前記第１の部分と前記第２の部分を再生するステップをさらに有することを特徴とする請求項２に記載の方法。
【請求項４】  前記ストリームを再生するステップは、前記第１の部分と前記第２の部分の前記位置を特定するために記憶された前記データ構造にアクセスするステップを有することを特徴とする請求項３に記載の方法。
【請求項５】  前記プログラムを記憶する十分なスペースがないとの判断に応答して、
前記プログラムを記憶するために十分なサイズの単一の連続した位置を形成するため、複数の非連続的な位置を自動的にデフラグメントするステップと、
前記プログラムを前記連続した位置に記憶するステップと、
をさらに有することを特徴とする請求項１に記載の方法。
【請求項６】  前記プログラムと前記連続した位置を特定するデータ構造を記憶するステップをさらに有することを特徴とする請求項５に記載の方法。
【請求項７】  記憶デバイスに十分なスペースがないとの判断に応答して、前記方法は、前記十分なスペースを作るために前記記憶デバイスから以前記憶されたプログラムを自動的に削除するステップをさらに有することを特徴とする請求項１に記載の方法。
【請求項８】  前記以前記憶されたプログラムは、前記記憶デバイスで最も古い録画を有することを特徴とする請求項７に記載の方法。
【請求項９】  前記十分なスペースがあるかどうかを判断するステップは、
前記放送における前記プログラムに対応した最大ビットレートを示すメタデータを検出するステップと、
前記プログラムを記憶するのに必要な最小の記憶ビット数を計算するために前記最大ビットレートを使用するステップと
から構成されることを特徴とする請求項１に記載の方法。
【請求項１０】  前記プログラムの平均ビットレートは、前記最大ビットレートより小さく、前記プログラムの記憶が完了に引き続いて前記プログラム記憶するためにに割り振られた記憶領域の未使用の部分を解放するステップをさらに有することを特徴とする請求項９に記載の方法。
【請求項１１】  前記プログラムを含む放送を受信するように構成された受信機と、  記憶デバイスと、
プロセッサと、
から構成され、前記プロセッサは、
前記受信したプログラムの第１の部分を自動的に記憶し、
前記第１の部分の記憶完了に引き続き前記プログラム録画要求を受信し、
前記プログラムを記憶するために十分なスペースがあるかどうかを判断し、
前記要求と十分なスペースがあるとの判断に応答して前記プログラムの第２の部分を記憶するように構成され、
前記十分なスペースがあるかどうかを判断は、少なくとも前記プログラムの時間を示す前記放送に含まれた部分的データに基づくことを特徴とするプログラムを録画するための受信デバイス。
【請求項１２】  前記プロセッサは、前記プログラムを特定するデータ構造を記憶するように構成されていることを特徴とする請求項１１に記載のデバイス。
【請求項１３】  前記第１の部分と第２の部分は前記記憶デバイスの非連続的な位置に記憶され、前記データ構造は前記第１の部分と第２の部分の非連続的な位置を特定し、前記プロセッサは非連続的に記憶された前記第１の部分と第２の部分を単一の連続したストリームとして再生するように構成されていることを特徴とする請求項１２に記載のデバイス。
【請求項１４】  前記プロセッサは、再生および復旧のため、前記第１の部分と第２の部分の位置を特定する記憶されたデータ構造にアクセスするように構成されていることを特徴とする請求項１３に記載の受信デバイス。
【請求項１５】  前記十分なスペースがないとの判断に応答して、前記プロセッサは、
前記プログラムを記憶するために十分なサイズの単一の連続した位置を形成するため、前記記憶デバイスにおいて複数の非連続的な位置のデフラグメントを自動的に開始し、、
前記連続した位置に前記プログラムを記憶するように構成されていることを特徴とする請求項１１に記載の受信デバイス。
【請求項１６】  前記プロセッサは、前記プログラムと前記連続した位置を特定するデータ構造を記憶するようにさらに構成されていることを特徴とする請求項１５記載の受信デバイス。
【請求項１７】  前記記憶デバイスに前記十分なスペースがないとの判断に応答して、前記プロセッサは、十分なスペースを作るために、以前記憶したプログラムを自動的に前記記憶デバイスから削除するようさらに構成されていることを特徴とする請求項１１に記載の受信デバイス。
【請求項１８】  前記以前記憶されたプログラムは、記憶デバイスで最も古い録画を有することを特徴とする請求項１７記載の受信デバイス。
【請求項１９】  十分なスペースがあるかどうかを判断するステップにおいて、前記プロセッサは、
前記放送にある前記プログラムに対応する最大ビットレートを示すメタデータを検出し、
前記プログラムを記憶するのに必要な最小の記憶ビット数を計算するために前記最大ビットレートを使用するように構成されていることを特徴とする請求項１１に記載の受信デバイス。
【請求項２０】  前記プログラムの平均ビットレートは、前記最大ビットレートより小さく、前記プロセッサは前記プログラムの記憶完了に引き続き前記プログラムを記憶するために割り振っておいた未使用の記憶領域を解放するようにさらに構成されていることを特徴とする請求項１９記載の受信デバイス。
【請求項２１】  前記放送はヘッドエンドから運ばれることを特徴とする請求項１１に記載の受信デバイス。
【請求項２２】  以前放送されたデータを録画の中に組み込むためのテレビシステムにおける方法であって、
１つのプログラムを含む放送を受信するステップと、
前記受信されたプログラムの第１の部分を自動的に記憶するステップと、
前記第１の部分の記憶完了に引き続き、前記プログラムの記録要求を受信するステップと、
前記プログラムを記憶するのに十分なスペースがあるかどうか自動的に判断するステップと、
前記要求に応答して前記プログラムの第２の部分を記憶し、前記プログラムを記憶するのに十分なスペースがあることを判断するステップと、
から構成され、前記判断するステップは少なくとも前記プログラムの最大ビットレートを示す放送に含まれる部分的データに基づくことを特徴とする方法。
【請求項２３】  前記プログラムを含む方法を受信するように構成された受信機
と、
記憶デバイスと、
プロセッサとから構成され、
前記プロセッサは、前記受信したプログラムの第１の部分を自動的に記憶し、
前記第１の部分を記憶した後引き続いてプログラムを記憶するための要求を受信し、
前記プログラムを記憶するのに十分なスペースがあるかどうかを自動的に判断し、
前記受信した要求に応答して前記プログラムの第２の部分を記憶し、前記プログラムを記憶するのに十分なスペースがあることを判断するように構成されており、前記判断は少なくとも前記プログラムの最大ビットレートを示す放送に含まれる部分的データに基づくことを特徴とするプログラムを記録するための受信デバイス。